(57)【特許請求の範囲】
【請求項１】
箱本体に通電部材が収容されており、該通電部材の接触部が前記箱本体の表面に露呈されて端子取付部が形成されていると共に、
電線の端末に設けられた端子金具が前記接触部に重ね合わされて前記端子取付部に固定される電気接続箱において、
前記箱本体には、一対の前記端子取付部が隣接して形成されていると共に、それら一対の端子取付部の間に絶縁係合壁が突設されている一方、
カバー部材が回動軸を回動中心として前記箱本体に開閉可能に取り付けられており、該カバー部材の内側に突設されたカバー側係合部が前記絶縁係合壁に設けられた本体側係合部と係合することによって、前記カバー部材が閉位置に保持されて前記一対の端子取付部が前記カバー部材で覆われるようになっている
ことを特徴とする電気接続箱。
【請求項２】
前記カバー側係合部が、前記回動軸に対向して前記カバー部材の内側に形成された内壁部から前記絶縁係合壁に向かって延出する連結片と、該連結片の延出端部から立ち上がる係合片とを含んで構成されており、該係合片が前記本体側係合部に係合されるようになっている
請求項１に記載の電気接続箱。
【請求項３】
前記カバー部材の天壁の中央部分には貫通孔が形成されており、該貫通孔を通じて前記カバー側係合部が前記カバー部材の外部に露呈されている
請求項１又は２に記載の電気接続箱。
【請求項４】
前記カバー部材および前記絶縁係合壁の一方には、他方に圧接する圧接リブが形成されている請求項１〜３の何れか１項に記載の電気接続箱。
【発明の詳細な説明】
【技術分野】
【０００１】
本発明は、自動車等に搭載される電気接続箱に係り、特に、箱本体に通電部材の接触部が露呈されて、電線の端子金具が取付可能とされた端子取付部が形成されている電気接続箱に関するものである。
【背景技術】
【０００２】
従来から、リレーボックスやジャンクションボックス等の電気接続箱には、特開２０１０−６３２６８号公報（特許文献１）に記載のように、電源線等の電線の端子金具が取付可能とされた端子取付部が設けられたものがある。このような端子取付部には、箱本体に収容されたバスバー等の通電部材の接触部が露呈されている。そして、電線の端末に設けられた端子金具が接触部に重ね合わされて、ボルト固定されるようになっている。
【０００３】
ところで、端子取付部には、前記通電部材の接触部や電線の端子金具、およびこれらを締結するボルトやナット等の金属部品が露呈されている。それ故、特開２００９−２７３３１１号公報（特許文献２）や特開２００２−３２９４９２号公報（特許文献３）に記載されているように、カバー部材で箱本体を全体的に覆ったり、部分的に覆ったりすることで、端子取付部を他部材との接触や短絡等から保護していた。
【０００４】
ところが、特許文献２や特許文献３に記載の構造では、カバー部材が箱本体と別体であることから、端子取付部への端子金具のボルト固定後に、カバー部材を箱本体に組み付ける作業が必要であった。また、カバー部材を取り外した際には、カバー部材を一時的に置いておく作業スペースが必要になると共に、カバー部材を紛失するおそれもあった。
【０００５】
このような問題に対処するために、開閉可能なカバー部材を箱本体に一体的に設けることが考えられる。しかし、複数の端子取付部のそれぞれにカバー部材を設けると、部品点数の増加やカバー部材の開閉に手間を要するという問題がある。また、カバー部材を閉状態に維持するロック機構を各カバー部材毎に形成しなければならないことから、スペース効率を損なうという問題もあった。一方、複数の端子取付部を１つのカバー部材で覆うことも考えられるが、各端子取付部は絶縁性を確保するために離れて位置されていることから、それら複数の端子取付部を覆うカバー部材が大型のものとなって、電気接続箱の大型化を招くと共に、取り扱い性を損なうおそれがあった。
【先行技術文献】
【特許文献】
【０００６】
【特許文献１】特開２０１０−６３２６８号公報
【特許文献２】特開２００９−２７３３１１号公報
【特許文献３】特開２００２−３２９４９２号公報
【発明の概要】
【発明が解決しようとする課題】
【０００７】
本発明は、上述の事情を背景に為されたものであって、その解決課題は、端子取付部を保護するカバー部材を、スペース効率良く箱本体に一体的に設けることの出来る、新規な構造の電気接続箱を提供することにある。
【課題を解決するための手段】
【０００８】
本発明の第一の態様は、箱本体に通電部材が収容されており、該通電部材の接触部が前記箱本体の表面に露呈されて端子取付部が形成されていると共に、電線の端末に設けられた端子金具が前記接触部に重ね合わされて前記端子取付部に固定される電気接続箱において、前記箱本体には、一対の前記端子取付部が隣接して形成されていると共に、それら一対の端子取付部の間に絶縁係合壁が突設されている一方、カバー部材が回動軸を回動中心として前記箱本体に開閉可能に取り付けられており、該カバー部材の内側に突設されたカバー側係合部が前記絶縁係合壁に設けられた本体側係合部と係合することによって、前記カバー部材が閉位置に保持されて前記一対の端子取付部が前記カバー部材で覆われるようになっていることを、特徴とする。
【０００９】
本発明によれば、カバー部材が回動軸において箱本体に対して回動可能に取り付けられている。これにより、カバー部材を箱本体に一体的に設けて、カバー部材の開閉操作を容易にすることが出来ると共に、カバー部材を紛失するおそれを低減することが出来る。
【００１０】
そして、本発明によれば、一対の端子取付部が、絶縁係合壁を隔てて隣接して形成されている。これにより、絶縁係合壁で互いの絶縁性を確保しつつ、一対の端子取付部を接近させてスペース効率良く形成することが出来る。更に、一対の端子取付部が隣接されていることから、それらを覆うカバー部材をコンパクトに形成することが出来る。加えて、カバー部材の内側にカバー側係合部を設けると共に、絶縁係合壁に本体側係合部を設けて相互に係合させることにより、カバー部材を閉位置に保持するロック機構を、一対の端子取付部の間およびカバー部材の内側のそれぞれにスペース効率良く形成することが出来る。
【００１１】
なお、カバー側係合部と本体側係合部は、互いに係合する凹凸形状を、それらの一方と他方にそれぞれ形成しても良いし、両方を突起形状として相互に係合するもの等でも良い。また、カバー部材に覆われる端子取付部は必ずしも２つに限定されるものではなく、例えば３つ以上の端子取付部を１つのカバー部材で覆うと共に、それらの内の一対の端子取付部間に絶縁係合壁を形成する等しても良い。
【００１２】
本発明の第二の態様は、前記第一の態様に記載のものにおいて、前記カバー側係合部が、前記回動軸に対向して前記カバー部材の内側に形成された内壁部から前記絶縁係合壁に向かって延出する連結片と、該連結片の延出端部から立ち上がる係合片とを含んで構成されており、該係合片が前記本体側係合部に係合されるようになっているものである。
【００１３】
本態様によれば、カバー側係合部が、カバー部材の内壁部から突出するＬ字の片持ち形状とされており、連結片の延出端部から立ち上がる係合片の先端部において本体側係合部と係合される。これにより、カバー部材が回動軸回りで開方向に回動しようとした場合には、係合片が絶縁係止壁の本体側係合部に当接されて、その際の当接反力が係合片を介して連結片に及ぼされる。その結果、連結片の延出端部が係合片で押圧されて、連結片がカバー部材の開方向と反対方向に湾曲変形されることにより、連結片の延出端部から立ち上がる係合片が絶縁係止壁に向かって傾斜される。これにより、係合片と本体側係合部の係合状態が維持されて、カバー部材の不意の開放を阻止して閉状態をより安定的に維持することが出来る。即ち、本発明においては、カバー部材が回動可能に箱本体に組み付けられていることから、カバー部材が開方向に移動しようとした場合には、カバー側係合部が回動軸回りの円軌道上を移動して本体側係合部から離れ易くなるおそれがある。しかし、本態様によれば、本体側係合部と係合する係合片が連結片の先端に設けられていることから、カバー部材が開方向に回動しようとした場合には、係合片と本体側係合部との係合力が連結片に及ぼされて、連結片が湾曲変形する。この連結片の変形によって係合片を絶縁係止壁側に傾斜させて本体側係合部との係合状態をより安定的に維持することにより、回動式のカバー部材であっても、箱本体に安定的にロックすることが出来る。
【００１４】
本発明の第三の態様は、前記第一又は第二の態様に記載のものにおいて、前記カバー部材の天壁の中央部分には貫通孔が形成されており、該貫通孔を通じて前記カバー側係合部が前記カバー部材の外部に露呈されているものである。
【００１５】
本態様によれば、カバー側係合部がカバー部材の内側に設けられている場合でも、貫通孔を通じてカバー側係合部をカバー部材の外側から直接に操作することが出来る。これにより、カバー側係合部と本体側係合部との係合の解除を容易に行なうことが出来る。
【００１６】
本発明の第四の態様は、前記第一〜第三の何れか１つの態様に記載のものにおいて、前記カバー部材および前記絶縁係合壁の一方には、他方に圧接する圧接リブが形成されているものである。
【００１７】
本態様によれば、圧接リブを介してカバー部材を絶縁係合壁に押し付けることにより、カバー部材の閉状態をより安定的に維持することが出来る。
【発明の効果】
【００１８】
本発明によれば、箱本体に一対の端子取付部を隣接して形成すると共に、それら一対の端子取付部の間に絶縁係合壁を突設する一方、該一対の端子取付部を覆うカバー部材を箱本体に回動可能に取り付けて、該カバー部材の内側に突設したカバー側係合部を絶縁係合壁に設けた本体側係合部と係合してカバー部材を閉位置に保持するようにした。これにより、一対の端子取付部を、絶縁係合壁で相互の絶縁性を確保しつつ隣接してスペース効率良く形成することが出来る。更に、カバー部材を箱本体に回動可能に取り付けることにより、カバー部材を箱本体と一体化して閉操作を容易に行なうことが出来ると共に、カバー部材の紛失などを防ぐことも出来る。そして、カバー部材を閉状態に保持する本体側係合部とカバー側係合部を、一対の端子取付部の間の絶縁係合壁と、カバー部材の内側とにそれぞれ設けたことによって、カバー部材をスペース効率良く箱本体に一体的に設けることが出来る。
【図面の簡単な説明】
【００１９】
【図１】本発明の一実施形態としての電気接続箱の要部の斜視図。
【図２】図１におけるカバー部材の閉状態を示す斜視図。
【図３】図２におけるＩＩＩ−ＩＩＩ断面に相当する説明図。
【図４】図１に示した電気接続箱の要部の拡大図。
【図５】カバー部材の平面図。
【図６】カバー部材の開口側の斜視図。
【図７】カバー側係合部と本体側係合部との係合作用を説明するための説明図。
【図８】図３におけるＶＩＩＩ−ＶＩＩＩ断面に相当する説明図。
【発明を実施するための形態】
【００２０】
以下、本発明の実施形態について、図面を参照しつつ説明する。
【００２１】
先ず、図１および図２に、本発明の一実施形態としての電気接続箱１０の要部を示す。電気接続箱１０はリレーボックスであり、合成樹脂製の箱本体１２に、電気部品としてのリレーが装着可能とされた複数のリレー装着部（図示省略）等が形成されている。なお、本発明における電気接続箱は、リレーボックスのみならず、複数のヒューズが装着可能とされたヒューズボックスや、コネクタやリレー、ヒューズ等の各種電気部品が装着可能とされて電力の分配に用いられるジャンクションボックス等でも良い。
【００２２】
箱本体１２には、一対の端子取付部１４，１４が隣接して形成されている。これら端子取付部１４，１４は互いに略同様の構造とされている。図３にも示すように、箱本体１２には通電部材としてのバスバー１６が収容されており、バスバー１６の端部に形成された接触部１８が、端子取付部１４において箱本体１２の表面２０上に露呈されている。箱本体１２における端子取付部１４には嵌入凹所２２が形成されており、雄ねじが形成されたボルト頭部２４が嵌め入れられることにより、ボルト頭部２４が表面２０上に突出されている。そして、接触部１８に貫設されたボルト挿通孔２６にボルト頭部２４を挿通して接触部１８が表面２０に重ね合わされることによって、端子取付部１４が形成されている。
【００２３】
箱本体１２において、一対の端子取付部１４，１４の間には、絶縁係合壁２８が突設されている。図４に示すように、絶縁係合壁２８は、端子取付部１４のボルト頭部２４と同方向に突出する板形状を有している。絶縁係合壁２８の幅方向両端部には切欠３０，３０が形成されており、後述するカバー部材４８との干渉が回避されている。これにより、絶縁係合壁２８は、幅方向中央部分が最も突出された凸字形状を有している。そして、絶縁係合壁２８の突出先端部における一方（図３中、左方）の面には、本体側係合部３２が形成されている。本体側係合部３２は、一方（図３中、左方）の端子取付部１４側に突出する突起形状とされている。
【００２４】
さらに、絶縁係合壁２８において、本体側係合部３２が突出された面には、切欠３０，３０の下部において、圧接リブ３４，３４がそれぞれ突出形成されている。また、絶縁係合壁２８において、本体側係合部３２と反対側の面には、一対の補強リブ３６，３６が形成されている。
【００２５】
また、図１〜図３に示したように、箱本体１２には、本体側係合部３２が突出された側（図３中、左側）の端子取付部１４に隣接して、絶縁係合壁２８と反対側に一対の軸受部３８，３８が形成されている。更に、箱本体１２において、一対の端子取付部１４，１４に対して、軸受部３８，３８側に所定距離だけ離隔した位置には、本体側開位置係止片４０が形成されている。図３に示したように、本体側開位置係止片４０は、箱本体１２の表面２０から上方（図３中、上方）に突出する突片形状をもって箱本体１２に一体形成されており、その突出先端部には、端子取付部１４，１４側に突出する係止爪４２が形成されている。更に、本体側開位置係止片４０の上端部には、端子取付部１４，１４から離隔する斜め上方に延びる操作片部４４が形成されている。なお、本体側開位置係止片４０は、箱本体１２に突設された保護壁部４６，４６で幅方向両側から挟まれて保護されている。また、軸受部３８，３８および本体側開位置係止片４０の形成箇所における表面２０は端子取付部１４，１４から窪んで形成されており、本体側開位置係止片４０の係止爪４２は、端子取付部１４，１４のバスバー１６，１６よりもやや下方（図３中、下方）に位置されている。
【００２６】
このような箱本体１２に、カバー部材４８が取り付けられている。図５および図６にも示すように、カバー部材４８は、非導電性の合成樹脂から形成された一体成形品とされている。カバー部材４８の本体部５０は、４つの周壁５２ａ，５２ｂ，５２ｃ，５２ｄに天壁５４が連結された、一方に開口する略長手矩形の箱体形状とされている。なお、周壁５２ａと周壁５２ｃが互いに対向されていると共に、周壁５２ｂと周壁５２ｄが互いに対向されている。
【００２７】
周壁５２ａにおいて、周壁５２ｂ，５２ｄ側の両端部には、一対の連結板部５６，５６が形成されている。連結板部５６，５６は、本体部５０の外側（図５中、左側）に突出すると共に、周壁５２ａから本体部５０の開口方向（図６中、上方）に突出して延びる板形状とされている。そして、連結板部５６，５６の突出先端部には、カバー部材４８の両外側に向けて突出する回動軸５８，５８がそれぞれ形成されている。なお、回動軸５８，５８における連結板部５６，５６からの突出端面には、軸受部３８，３８間への挿入を容易にするために、テーパ面６０，６０が部分的に形成されている。更に、周壁５２ａにおいて、連結板部５６，５６の間には、連結板部５６，５６と略同形状の補助板部６２，６２が形成されており、これら連結板部５６，５６と補助板部６２，６２が、適当な間隔を隔てて並んで形成されている。なお、連結板部５６，５６および補助板部６２，６２のそれぞれの周壁５２ａからの突出先端縁部６４は互いに等しい略半円板形状とされており、カバー部材４８の側面視において互いに重なる同形状とされている。
【００２８】
さらに、カバー部材４８の内側の中央部分には、内壁部６６が回動軸５８，５８と対向して形成されている。内壁部６６は天壁５４から本体部５０の内方に突出して形成されており、カバー本体５０の内部空間が、内壁部６６で２分されている。内壁部６６の天壁５４からの突出先端部には、絶縁係合壁２８側に位置される周壁５２ｃ側に向けて延出する一対の連結片６８，６８が形成されている。そして、連結片６８，６８の内壁部６６からの延出先端部には、係合片７０が立ち上がるように形成されている。これにより、連結片６８，６８が係合片７０の幅方向両端部に連結されていると共に、連結片６８と係合片７０が側面Ｌ字の板ばね形状をもって内壁部６６と連結して形成されている。そして、係合片７０の連結片６８，６８からの突出先端部には、係止爪７４と係合孔７６が形成されている。これら連結片６８，６８および係合片７０を含んでカバー側係合部７２が構成されている。
【００２９】
また、天壁５４の中央部分には貫通孔７８が形成されている。そして、係合片７０の係止爪７４が、貫通孔７８を通じて天壁５４の外側に突出して、カバー部材４８の外部に露呈されている。なお、天壁５４において、貫通孔７８の周縁部にはコの字形状の保護壁部８０が突設されており、係合片７０における係止爪７４の突出方向（図５中、右方）以外の３方が、保護壁部８０に囲まれている。
【００３０】
さらに、天壁５４と周壁５２ａとの連結部分には、天壁５４から突出するカバー側開位置係止片８２が形成されている。カバー側開位置係止片８２は、矩形板形状をもって、天壁５４から保護壁部８０と略等しい高さ寸法をもって突出されている。そして、カバー側開位置係止片８２の幅方向両端部に、補助板部６２，６２が連結されている。また、箱本体１２への取付状態で箱本体１２の外側に位置する周壁５２ｂの下端部には、周壁５２ｂに沿って延びる操作リブ８４が突設されており、カバー部材４８を容易に開操作出来るようにされている。
【００３１】
このようなカバー部材４８の回動軸５８，５８が、箱本体１２の軸受部３８，３８に挿し込まれることにより、カバー部材７２が、箱本体１２に対して回動軸５８，５８回りで開閉可能に取り付けられる。図３に示したように、カバー部材４８は、回動軸５８，５８回りで略９０°の範囲に亘って回動可能とされており、一方の回動端位置が、端子取付部１４，１４の上方（図３中、上方）から外れて位置して、天壁５４が箱本体１２の表面２０に対して垂直となる開位置とされると共に、他方の回動端位置が、端子取付部１４，１４の上方に位置して、端子取付部１４，１４のそれぞれに突設されたボルト頭部２４，２４を覆う閉位置とされている。なお、カバー部材４８の連結板部５６，５６および補助板部６２，６２それぞれの突出先端縁部６４が表面２０に接触されることによって、回動に伴うカバー部材４８のガタツキを軽減して、安定的に開閉操作出来るようにされている。
【００３２】
カバー部材４８が開方向に回動されることにより、カバー側開位置係止片８２が本体側開位置係止片４０の係止爪４２を乗り越えて、係止爪４２と係合される。これにより、カバー部材４８が開位置に保持される。そして、カバー部材４８が閉方向に回動されることにより、カバー側開位置係止片８２が本体側開位置係止片４０の係止爪４２を乗り越えて係止爪４２との係合状態が解除されると共に、カバー側係合部７２の係合片７０が絶縁係合壁２８に重ね合わされて、絶縁係合壁２８の本体側係合部３２が係合片７０の係合孔７６に入り込むことによって、係合片７０が本体側係合部３２と係合される。これにより、カバー部材４８が閉位置に保持される。
【００３３】
このような端子取付部１４，１４には、図１に示したように、端子金具８６，８６がそれぞれ取り付けられる。端子金具８６はＬ字に屈曲された板形状とされており、電線８８の端末に設けられている。端子金具８６にはボルト挿通孔９０が貫設されている。そして、カバー部材４８を開操作して、カバー側開位置係止爪８２と本体側開位置係止片４０を係合して開位置に保持した状態で、端子金具８６のボルト挿通孔９０にボルト頭部２４を挿通して、端子取付部１４に露出されたバスバー１６の接触部１８に端子金具８６を重ね合わせた後に、ボルト頭部２４にナット９２を締結することによって、端子金具８６を接触部１８への重ね合わせ状態で端子取付部１４に取り付ける。その後、図２に示したように、カバー部材４８を閉操作して、係合片７０と絶縁係合壁２８の本体側係合部３２を係合して閉位置に保持することにより、一対の端子取付部１４，１４をカバー部材４８で覆って、端子金具８６，８６（図２においては一方のみ図示）の取り付けを完了する。なお、カバー部材４８の閉状態において、周壁５２ｂと箱本体１２の表面２０の間には僅かな隙間９４が形成されるようになっており、該隙間９４を通じて、端子取付部１４，１４に取り付けられた端子金具８６，８６が箱本体１２の外部に突出されるようになっている。
【００３４】
本実施形態に従う構造とされた電気接続箱１０によれば、一対の端子取付部１４，１４を覆うカバー部材４８が、箱本体１２に一体的に組み付けられている。これにより、カバー部材４８の開閉作業を容易且つ速やかに行なうことが出来ると共に、カバー部材４８の紛失のおそれを軽減することが出来る。そして、カバー部材４８の開位置において、カバー側開位置係止片８２と本体側開位置係止片４０を係合することによって、カバー部材４８を開位置に保持することが出来る。これにより、端子金具８６の取付作業を容易に行なうことが出来る。一方、カバー部材４８の閉位置において、カバー側係合部７２の係合片７０と絶縁係合壁２８の本体側係合部３２を係合することによって、カバー部材４８を閉位置に保持することが出来る。
【００３５】
そして、本実施形態によれば、一対の端子取付部１４，１４が、絶縁係合壁２８を挟んで隣接して形成されている。これにより、絶縁係合壁２８で相互の絶縁性を確保しつつ、一対の端子取付部１４，１４を接近してスペース効率良く形成することが出来る。また、一対の端子取付部１４，１４が隣接して形成されていることから、それらを覆うカバー部材４８をコンパクトに形成することも出来る。
【００３６】
さらに、絶縁係合壁２８に本体側係合部３２を形成すると共に、該本体側係合部３２に係合するカバー側係合部７２が、カバー部材４８の内側に形成されている。これにより、カバー部材４８を閉位置に保持するロック機構を、一対の端子取付部１４，１４の形成スペースの内側とカバー部材４８の内側とにスペース効率よく形成することが出来る。そして、カバー部材４８に形成された貫通孔７８を通じてカバー側係合部７２の係合片７０がカバー部材４８の外部に露呈されていることから、係合片７０をカバー部材４８の内側にスペース効率良く形成しつつ、貫通孔７８を通じて係合片７０を直接に操作可能として、係合片７０と本体側係合部３２との係合状態を容易に解除することが可能とされている。
【００３７】
そして、本実施形態によれば、カバー側係合部７２において、絶縁係合壁２８の本体側係合部３２と係合する係合片７０が、内壁部６６から突出された連結片６８，６８の先端部から立ち上げられて形成されている。これにより、図７に示すように、カバー部材４８が回動軸５８，５８回りで開方向に変位しようとした場合には、係合片７０が本体側係合部３２に当接されて、その当接反力が連結片６８，６８に及ぼされる。そして、連結片６８，６８の先端部が係合片７０で箱本体１２側（図７中、下側）に押圧されて、連結片６８，６８がカバー部材４８の開方向と反対方向に湾曲変形される。その結果、係合片７０が絶縁係合壁２８に向けて傾斜されて、係合片７０と本体側係合部３２との係合が維持されるようになっている。即ち、本実施形態においては、カバー部材４８が回動軸５８，５８回りで回動されることから、カバー部材４８が開方向に変位する場合には、係合片７０が回動軸５８，５８回りで本体側係合部３２から速やかに離隔して係合状態が解除され易くなるおそれがある。そこにおいて、連結片６８，６８を変形させて係合片７０を絶縁係合壁２８側に傾斜させることにより、係合片７０と本体側係合部３２との係合を維持して、カバー部材４８の閉状態を安定的に維持することが出来る。
【００３８】
さらに、図８に示すように、カバー部材４８の閉状態において、係合片７０の両側に形成されて絶縁係合壁２８と対向位置される内壁部６６の対向面９６，９６に対して、絶縁係合壁２８から突出された圧接リブ３４，３４が圧接される。これにより、閉状態におけるカバー部材４８のガタツキを軽減して、カバー部材４８をより安定的に閉状態に保持することが出来る。
【００３９】
以上、本発明の実施形態について詳述したが、本発明はその具体的な記載によって限定されない。例えば、前記実施形態においては、カバー側係合部７２側が係合孔７６が形成された凹形状、本体側係合部３２側が凸形状とされていたが、カバー側係合部を凸形状、本体側係合部を凹形状としても良いし、カバー側係合部と本体側係合部の両方を凸形状として、相互に係合させる等しても良い。また、前記圧接リブ３４，３４は必ずしも必要ではないが、例えば絶縁係合壁２８側に代えて、カバー部材４８の対向面９６，９６側に圧接リブを設けても良い。
【００４０】
また、端子取付部は、例えば、箱本体側にナットを設けて、バスバー等の通電部材と電線の端子金具とを重ね合わせた状態で、ボルトで固定する等しても良い。更に、端子取付部を３つ以上設けてカバー部材で覆うようにすると共に、それらの内の一対の端子取付部の間に絶縁係止壁を設けてカバー側係合部と係合するようにしても良い。
【符号の説明】
【００４１】
１０：電気接続箱、１２：箱本体、１４：端子取付部、１６：バスバー（通電部材）、１８：接触部、２０：表面、２８：絶縁係合壁、３２：本体側係合部、３４：圧接リブ、４８：カバー部材、５４：天壁、５８：回動軸、６６：内壁部、６８：連結片、７０：係合片、７２：カバー側係合部、７４：係止爪、７６：係合孔、７８：貫通孔、８６：端子金具、８８：電線
【図１】
0005707194.tif 000002
【図２】
0005707194.tif 000003
【図３】
0005707194.tif 000004
【図４】
0005707194.tif 000005
【図５】
0005707194.tif 000006
【図６】
0005707194.tif 000007
【図７】
0005707194.tif 000008
【図８】
0005707194.tif 000009